(57)【特許請求の範囲】
【請求項１】
像担持体上の現像画像を媒体上に転写する転写手段と、
前記像担持体上の現像画像を媒体上に転写するとき高電圧を前記転写手段に印加する第１高圧電源と、
前記転写手段に前記媒体が到達する前で前記像担持体上の現像画像を媒体上に転写しないとき前記第１高圧電源と逆極性の高電圧を前記転写手段に印加する第２高圧電源と、
前記第２高圧電源による前記転写手段から前記第２高圧電源側への電流の流れを阻止する整流手段と、
を有することを特徴とする画像形成装置。
【請求項２】
像担持体上の現像画像を媒体上に転写する転写手段と、
前記転写手段に高電圧を印加する高圧電源と、
前記高圧電源に直列接続され、前記転写手段に前記媒体が到達する前の前記高圧電源が前記転写手段に高圧を印加していないとき、前記転写手段が前記高圧電源の極性と逆のマイナスに帯電されている場合に前記高圧電源から前記転写手段の方向へ電流が流れることを阻止する定電圧手段と、を有することを特徴とする画像形成装置。
【請求項３】
前記定電圧手段は、バリスタ及びツェナダイオードのいずれかであることを特徴とする請求項２記載の画像形成装置。
【請求項４】
像担持体上の現像画像を媒体上に転写する転写手段と、
前記転写手段に高電圧を印加する高圧電源と、
前記高圧電源に直列接続され、前記転写手段に前記媒体が到達する前の前記高圧電源が前記転写手段に高圧を印加していないとき、前記転写手段が前記高圧電源の極性と逆のマイナスに帯電されている場合に前記高圧手段から前記転写手段の方向へ電流が流れることを阻止するトランジスタと、
を有することを特徴とする画像形成装置。
【請求項５】
トナー画像を転写紙に転写させるための転写ブレードと、
転写紙が前記転写ブレード上に到達しているときに前記転写ブレードに高電圧を印加する第１高圧電源と、
転写紙が前記転写ブレード上に到達していない状態で、前記第１高圧電源とは極性が異なり、前記転写ブレードを含む転写負荷に存在する電圧よりも大きい高電圧を前記転写ブレードに印加する第２高圧電源と、
前記第２高圧電源が前記転写ブレードに高電圧を印加している状態で、前記転写負荷に存在する電圧により前記第２高圧電源の方向へ電流が流れることを阻止するための整流手段と、
を有することを特徴とする画像形成装置。
【発明の詳細な説明】
【０００１】
【発明の属する技術分野】
本発明は、帯電、露光、現像、転写等を含む電子写真プロセスに用いられる高圧電源装置に関するものである。
【０００２】
【従来の技術】
図４において、１ａ〜１ｄは電子写真プロセスに基づいて、トナー画像が形成される感光ドラム、２は、前記感光ドラムに形成されたトナー画像が１ａ〜１ｄの順に重ねて転写される転写ベルト、３ａ〜３ｄは、前記トナー画像を転写ベルト２に転写するために、所定のタイミングで所定の高圧出力が印加される転写ブレード、４ａ〜４ｄは前記転写ブレードに所定の高圧出力を供給するための転写用高圧電源、５は転写ベルト２上に残ったトナーなどの汚れを掻き落すクリーナブレード、６は前述の転写高圧の印加によって帯電した転写ベルト２を除電するために、転写ベルト２内側に用意された内除ブラシ、７は前記内除ブラシ６に所定の除電高圧を供給する内除用高圧電源である。
【０００３】
図示の構成において、転写紙８は図中右側から供給され、転写ベルト２に貼り付けられる。転写ベルト２に貼り付けられた転写紙８は、転写ベルト２の回転に伴なって移動し感光ドラム１ａに到達する。この時感光ドラム１ａには電子写真プロセスによって既にトナー画像が形成されており、このトナー画像が転写ブレード３ａとそれに供給される転写用高圧電源４ａからの所定の高圧出力によって転写紙８に転写される。続いて、転写紙８は感光ドラム１ｂ、１ｃ、１ｄに搬送され、それぞれの位置でそれぞれのトナー画像が転写して重ねられ、転写ベルト２左側に用意される図示しない定着器を通過することで、転写紙上に重ねられたトナー画像が転写紙８に定着される。一方、転写ベルト２は、転写紙８の排紙後も回転を続け、クリーナブレード５で残トナーなどが掻き落とされ、更に、転写ブラシ６に供給される内除用高圧電源７からの高圧出力によって、前述の転写用高圧出力からの電圧が除電され、かつ、供給される転写紙を貼り付けるために、弱マイナスに帯電される。
【０００４】
図５は転写ブレード３ａでの転写プロセスの動作を示している。図中ｔは転写ブレード３ａを基準とした時間経過を示しており、転写紙８が転写ブレード３ａを通過した時点がｔａ、転写紙８に転写される画像先端が転写ブレードに到達する時点がｔｂである。また、図には同時に転写ブレードに供給される転写用高圧出力の電圧変化をその縦軸に示しており、転写紙８が転写ブレード３ａに到達する以前の電圧状態がＶ０であり、転写紙８が転写ブレード３ａを通過した直後から電圧の上昇が開始され、感光ドラム１ａ上のトナー画像が転写ブレード３ａに到達する以前に所望の転写電圧に到達するよう、転写用高圧電源４ａが制御される。
【０００５】
なお、以上のトナー画像の転写紙８への転写動作は、感光ドラム１ｂ、１ｃ、１ｄでも同様に繰り返され、シアン、マゼンタ、イエロー、ブラックの４色のトナー画像を、転写紙８に重ねることにより、転写紙８上にフルカラー画像が形成される。
【０００６】
ところで、図５中の電圧Ｖ０は、前述の内除用高圧電源７からの出力を受けて弱マイナスとなっており、従って、転写紙８が無い状態では、転写ブレード３に供給される転写高圧出力を０［Ｖ］に設定しておいても、転写ブレード３から転写ベルト２方向に電流が流れる事になる。この電流は転写ベルト２を介して感光ドラム１を帯電させ、感光ドラム１上に静電潜像を形成する。この静電潜像にトナーが付着すると、これが搬送されてきた転写紙８上に転写され、本来形成されるべき転写画像上に帯状の汚れ画像となって現れる。
【０００７】
この様な汚れ画像の発生を防止するために、転写用高圧電源４に、本来の転写用高圧出力とは反対極性のマイナス出力を持たせ、転写紙８の無い部分では転写ブレード３からの電流を０［μＡ］に制御する構成を採っている。
【０００８】
【発明が解決しようとしている課題】
前述したような従来の高圧電源装置においては、以下のような問題があった。
【０００９】
従来の技術で説明したように、転写紙８の無い部分では転写用高圧電源４の出力を０［μＡ］に制御する必要があるが、転写用高圧電源の制御回路そのものが誤差を有しているので、電流出力にいくらかの幅を許容する必要がある。しかしながら、前述したとおり、転写ブレード３から転写ベルト２への方向（プラス方向）の電流は、汚れ画像の原因になるので許容することは出来ない。そこで、転写紙８の無い部分での転写用高圧電源４の出力を弱マイナスに設定し、転写ベルト２から転写ブレード３方向（マイナス方向）に微妙な電流が流れることを許容する手法が実用化されている。しかしながら、本方式においては、誤差を含めてマイナス数［μＡ］の電流が流れる可能性があり、この電流をなるべく小さく抑えようとすると誤差を小さくしなければならず、転写用高圧電源４の構成が困難になるといった問題があった。また、一方で、マイナス方向の電流を大きく許容しようとすると、前述とは逆方向の電流の流れによって感光ドラム１が帯電され、これが、逆バイアストナーを現像して、やはり転写画像を汚してしまうといった問題があった。
【００１０】
本発明は、このような状況のもとでなされたもので、負荷に対する電力供給を行う一方で、負荷の状態によって前記電力供給方向に生じる電流の流出を阻止することのできる高圧電源装置を提供することを目的とするものである。
【００１１】
【課題を解決するための手段】
前記目的を達成するため、本発明では、画像形成装置を次の（１）ないし（５）のとおり構成にする。
【００１２】
（１）像担持体上の現像画像を媒体上に転写する転写手段と、
前記像担持体上の現像画像を媒体上に転写するとき高電圧を前記転写手段に印加する第１高圧電源と、
前記転写手段に前記媒体が到達する前で前記像担持体上の現像画像を媒体上に転写しないとき前記第１高圧電源と逆極性の高電圧を前記転写手段に印加する第２高圧電源と、
前記第２高圧電源による前記転写手段から前記第２高圧電源側への電流の流れを阻止する整流手段と、
を有する画像形成装置。
（２）像担持体上の現像画像を媒体上に転写する転写手段と、
前記転写手段に高電圧を印加する高圧電源と、
前記高圧電源に直列接続され、前記転写手段に前記媒体が到達する前の前記高圧電源が前記転写手段に高圧を印加していないとき、前記転写手段が前記高圧電源の極性と逆のマイナスに帯電されている場合に前記高圧電源から前記転写手段の方向へ電流が流れることを阻止する定電圧手段と、を有する画像形成装置。
（３）前記定電圧手段は、バリスタ及びツェナダイオードのいずれかである前記（２）記載の画像形成装置。
（４）像担持体上の現像画像を媒体上に転写する転写手段と、
前記転写手段に高電圧を印加する高圧電源と、
前記高圧電源に直列接続され、前記転写手段に前記媒体が到達する前の前記高圧電源が前記転写手段に高圧を印加していないとき、前記転写手段が前記高圧電源の極性と逆のマイナスに帯電されている場合に前記高圧手段から前記転写手段の方向へ電流が流れることを阻止するトランジスタと、
を有する画像形成装置。
（５）トナー画像を転写紙に転写させるための転写ブレードと、
転写紙が前記転写ブレード上に到達しているときに前記転写ブレードに高電圧を印加する第１高圧電源と、
転写紙が前記転写ブレード上に到達していない状態で、前記第１高圧電源とは極性が異なり、前記転写ブレードを含む転写負荷に存在する電圧よりも大きい高電圧を前記転写ブレードに印加する第２高圧電源と、
前記第２高圧電源が前記転写ブレードに高電圧を印加している状態で、前記転写負荷に存在する電圧により前記第２高圧電源の方向へ電流が流れることを阻止するための整流手段と、
を有する画像形成装置。
【００２２】
【実施例】
（実施例１）
実施例１である、“転写用高圧電源装置”の説明に先立って、この電源装置を用いる電子写真装置について図６，図７により説明する。
【００２３】
図６に電子写真装置の断面図を示す。図中に示す破線部１−１は画像形成を行なうプロセス制御部であり、これを拡大して図７に示す。以下、これを使って、画像形成プロセスを説明する。
【００２４】
本電子写真装置は４つの画像形成部Ａ〜Ｄを有し、各画像形成部は同様の制御によってトナー画像を形成する。従って、ここでは、画像形成部Ａの動作をその代表として説明する。
【００２５】
まず、図中１ａは感光ドラム、１２１Ａは前記感光ドラム１ａに対してコロナ電荷を放出する一次帯電器、１２２Ａは前記一次帯電器１２１Ａに取り付けられ、前記コロナ電荷を調整して前記感光ドラム１ａの表面電位を所定値に制御する一次グリッド、１２３Ａは前記感光ドラム１ａ上に形成された静電潜像をトナー画像に現像する現像器（前記静電潜像は前記グリッド制御により一様に帯電された感光ドラム１ａに、レーザーの照射を行なうことで形成されている）、１２４Ａは感光ドラム１ａ上に形成されたトナー画像を転写ベルト２に吸着されて搬送されてくる転写紙に転写するための転写ブレード、１２５Ａは感光ドラム１ａ上に残ったトナーを掻き落とすためのクリーナブレード、１２６Ａは感光ドラム１ａ上に残った電荷を消去する為の前露光ランプ、１２７Ａは一次帯電の前に感光ドラム１ａの帯電状態を均一に均すための一次補助帯電器である。
【００２６】
以上の構成において、一次帯電器１２１Ａには通常マイナス数［ｋＶ］の高圧電流が印加され、これによって、感光ドラム１ａ方向にコロナ電荷が放出される。放出されたコロナ電荷は一次グリッド１２２Ａに吸収される分と、吸収されずに感光ドラム１ａに到達する分とに別れるため、感光ドラム１ａの帯電量はグリッド１２２Ａの動作で一様に調整される。続いて、感光ドラム１ａには描画する画像情報に従ってレーザーの照射が行われ、静電潜像が形成される。形成された静電潜像は、現像器１２３Ａ内の現像スリーブに供給されるバイアス電圧（通常マイナス数百［Ｖ］）と前記静電潜像の電位との差で生じる電界によってトナーの移動を生じさせ、これによって、前記静電潜像にしたがったトナー画像が感光ドラム１ａ上に形成される。以上のようにして形成されたトナー画像は、転写ブレード１２４Ａに供給されるプラス数［ｋＶ］，数十［μＡ］の高圧電流によって、転写ベルト２に吸着されて搬送されてくる転写紙に転写される。更に、感光ドラム１ａはクリーナブレード１２５Ａの作用で残留トナーが掻き落とされ、露光ランプ１２６Ａで電荷が消去され、次の画像形成に備えて、一次除電１２７Ａに印加されるマイナス数［ｋＶ］，数百［μＡ］の高圧電流によって地ならしされる。
【００２７】
以上の画像形成プロセスは各画像形成部Ａ〜Ｄで行われ、一枚の転写紙に４つのトナー画像が重ねて転写される。
【００２８】
次に、図中の他のプロセス動作について説明する。図７において、１２８は転写ベルトに吸着されて搬送されてくる転写紙を、前記転写ベルト２から分離する為の分離帯電器、１２９は分離された転写紙を帯電させる為の定着前帯電器、１３０は転写ベルト２を均一に帯電させ、更に、転写ベルト２への転写紙の吸着を促す為の内除ローラ、１３１は内除ローラ１３０の対向電極となる外除ローラである。
【００２９】
以上の構成において、トナー画像が形成された転写紙はマイナス数［ｋＶ］，数百［μＡ］の直流高圧に十［ｋＶｐｐ］程度の交流高圧が重畳された分離帯電器１２８からのコロナの照射を受けて除電され、転写ベルトから分離される。そして更に、分離後のトナー画像が機械的な衝撃によって壊されることを防ぐ為に、マイナス数［ｋＶ］の高圧が供給された定着前帯電器１２９からのコロナの照射によって前記転写紙は帯電され、不図示の定着器を通過することによりトナー画像が転写紙に固定され、排紙される。
【００３０】
一方、転写紙の分離を終えた転写ベルト２は、マイナス数［ｋＶ］の高圧が供給される内除ローラ１３０と、その対向電極となる外除ローラ１３１により均一に帯電され、挿入されてくる別の転写紙の吸着を行なう。
【００３１】
次に、以上の電子写真プロセスに用いる高圧電源において本発明を実施した場合の例である、実施例１を具体的に説明する。
【００３２】
図１は本発明を転写用高圧電源装置に実施した場合の例である、実施例１の回路ブロック図である。なお、本実施例装置の使用環境は図４と同様なので、図４とその説明を本実施例の説明に援用する。
【００３３】
図１において、１１は電子写真装置から所定のタイミングで所望の出力を発生するための制御信号を受けて高圧電源装置の制御をつかさどる制御手段、１２は前記制御手段１１からの制御信号に応じた電力信号を出力する第一の駆動手段、１３は前記第一の駆動手段１２からの電力信号を受けて電圧増幅した交流信号を出力する高圧トランスなどによる第一の変圧手段、Ｄ１は前記電圧増幅された交流信号を整流し、プラスの直流電圧を発生させるように接続されたダイオード、Ｒ１は前記第一の駆動手段１２の駆動が停止、もしくは、抑えられた時に、前記発生した直流電圧を放出するためのブリーダ抵抗、１４は生成した高圧出力を負荷に接続するための出力端、１５は前記１２と同様、前記制御手段１１からの制御信号に応じた電力信号を出力する第二の駆動手段、１６は前記第二の駆動手段１５からの電力信号を受けて電圧増幅した交流信号を出力する高圧トランスなどによる第二の変圧手段、Ｄ２は前記電圧増幅された交流信号を整流し、マイナスの直流電圧を発生させるように接続されたダイオード、Ｒ２は前記第二の駆動手段５の駆動が停止、もしくは、抑えられた時に、前記発生した直流電圧を放出するためのブリーダ抵抗、１７は前記出力端から出力された高圧出力に対する負荷電流を検出し、検出信号を前記制御手段１１に送出する電流検出手段、Ｄは本実施例の特徴となるダイオードである。また、出力端１４に接続された抵抗ＲＬ、コンデンサＣＬ、電圧源Ｖ０からなる回路は感光ドラム１、転写ベルト２、転写ブレード３を含む転写負荷を擬似的に表したものである。
【００３４】
以上の構成において、まず、転写紙８が転写ブレード上に達していない状態においては、装置は制御手段１１に対してマイナス出力を発生するように信号を送信する。制御手段１１は該信号を受けて、駆動手段１５に信号を送出し、駆動手段１５は該信号を受けて第二の変圧手段１６に電力信号を送出する。前記第二の変圧手段１６は該信号に基づいて高圧交流信号を出力し、ダイオードＤ２はこれを整流してマイナス高圧を生成する。この時発生する電圧がＶ（−）で、これは、転写負荷に存在する電圧Ｖ０よりも大きい値となるように前記第二の駆動手段１５からの電力信号によって設定されている。従って、この状態における負荷電流は、転写負荷側のＶ０から出力端１４を介して前記マイナス電圧Ｖ（−）に向かって流れようとするが、ダイオードＤによってこの電流の流れは阻止されるため実際に電流が流れることはない。
【００３５】
次に、転写紙８が転写ブレード３に到達してからの動作を説明する。
【００３６】
転写紙８が転写ブレード３に到達すると、転写用高圧電源４は感光ドラム１上のトナー画像を転写紙８上に転写するようにプラス出力を出力するよう制御される。この制御は、装置からの制御信号に基づいて行なわれ、まず、前述のマイナス出力を停止する信号が制御手段１１に送信され、これを受けて、制御手段１１は第二の駆動手段１５の駆動を停止する。これによって、高圧信号は停止し、マイナス電圧Ｖ（−）はブリーダ抵抗Ｒ２を介して放電される。続いて、装置からの信号は、所望のプラス出力を発生するように制御手段１１に信号を送出し、制御手段１１はこれを受けて、第一の駆動手段１２に動作信号を送信する。第一の駆動手段１２は該動作信号を受けて所定の動作で、第一の変圧手段１３に電力信号を送信し、第一の変圧手段１３で電圧増幅された交流高圧信号がダイオードＤ１で整流されて、出力端４にプラス電圧が発生する。この時の負荷電流は、転写ブレード３から転写ベルト２の方向に流れ、負荷を通って、電流検出手段１７、抵抗Ｒ２、ダイオードＤを通る経路をたどる。そして、電流検出手段７からの検出信号は、制御手段１１に入力され、装置からの制御信号と比較されて第一の駆動手段１２の動作を決定付ける信号が送出される。
【００３７】
以上の動作によって、転写紙８が転写ブレード３に到達した転写動作においては、該高圧電源は装置からの制御信号に基づいた転写電流が流れるように制御されることとなる。
【００３８】
ところで、転写紙８が転写ブレード３を通り過ぎる時には、装置は転写出力を停止する信号を制御手段１１に送信し、これによって、第一の駆動手段１２からの電力信号が停止され、プラス出力はブリーダ抵抗Ｒ１、および、転写負荷を通って放出される。
【００３９】
以上説明したとおり、本実施例の構成では、転写用の電流を発生するプラス高圧電源と、転写紙８が無いところで、転写負荷がマイナスに帯電していることによって生じるプラス電流を阻止するためのマイナス電源とを設けると共に、マイナス方向に流れる電流を阻止するダイオードＤを双方の高圧電源の間に設けたので、電源出力の精度によらずに０［μＡ］出力を実現でき、転写紙８の無いところで電流が流れることによって生じる画像汚れの発生を防ぐことができる。
【００４０】
また、本実施例においては、プラス高圧電源と、マイナス高圧電源との間にダイオードＤを設ける場合を例に説明したが、ダイオードＤの接続個所はこれに限られるものではなく、マイナス電流の通過を阻止する接続方法であればよい。従って、例えば、出力端１４と転写負荷との間に、マイナス電流を阻止する方向に接続してもよい。
【００４１】
(実施例２)
図２は、実施例２である“高圧電源装置”を示すブロック図である。
【００４２】
図中、Ｚは定電圧素子としてのバリスタであり、そのバリスタ電圧Ｖｚは転写負荷の帯電電圧Ｖ０よりも大きいものと設定されている。図において、まず、転写紙８が転写ブレード３に到達していない時には、装置は制御手段１１に第一の駆動手段１２の駆動を停止するような制御信号を送信している。この状態で、転写負荷がマイナスに帯電していた場合は、このマイナス電圧Ｖ０が前述のバリスタ電圧Ｖｚを越えない限りは電流は発生せず、従って、プラス方向への電流の流れ出しは発生しない。また更に、本実施例では、実施例１に示したようなマイナス電源を有しないため、マイナス方向への電流も発生することはない。
【００４３】
次に、転写紙８が転写ブレード３に到達して以降は、実施例１で説明した同じ動作によってまず、プラス高圧電源（１２，１３、Ｄ１，Ｒ１）が駆動されてトナー画像の転写が行われ、続いて、転写紙８が通り過ぎるときには、プラス高圧電源の駆動が停止されブリーダＲ１、および、転写負荷からのプラス電荷の放出が行われる動作を行なう。
【００４４】
以上説明したように、本実施例においては、実施例１におけるマイナス電源とマイナス電流阻止用のダイオードＤを廃止し、代わって、転写負荷のマイナス帯電電位Ｖ０の電圧よりも大きいバリスタ電圧Ｖｚを有するバリスタを設けることによって、転写紙８が無いところでのプラス方向電流の発生を防止し、画像汚れの発生を防ぐことができる。
【００４５】
ところで、本実施例の説明では、定電圧素子としてバリスタを用いた場合を例に説明したが、これに限られるものではなく、転写負荷のマイナス帯電電位Ｖ０の電圧よりも高い定電圧の得られるものであれば、例えば、ツェナダイオードなどでもよい。
【００４６】
(実施例３)
図３は、実施例３である“高圧電源装置”の構成を示すブロック図である。
【００４７】
図中、Ｄ３はマイナス方向の電流を流すためのダイオード、Ｔｒはプラス方向の電流を流すようにスイッチする為のスイッチ素子としてのトランジスタである。図の構成において、転写紙８が転写ブレード３に到達していないときには、トランジスタＴｒはオフ状態に制御されており、転写負荷のマイナス帯電電圧Ｖ０によって生じるプラス方向電流が流れ出すことを防止する。また一方、転写紙８が転写ブレード３に到達し、感光ドラム１上のトナー画像を転写する場合には、前記トランジスタＴｒをオン状態に設定した上で、１２，１３，Ｄ１，Ｒ１より構成されたプラス高圧電源を動作させ、所望のプラス電流を供給し、所定の転写動作を実行する。なお、ダイオードＤ３はマイナス方向電流の発生によってトランジスタＴｒを破壊しない為に、保護用に設けられている。また、トランジスタＴｒの動作は装置が自ら行なうよう構成しても良いし、制御手段１１が出力動作に合わせて行なうよう構成しても良い。
【００４８】
以上説明したように、本実施例によれば、プラス方向電流の「流し込み」と「阻止」とを、スイッチ素子の制御で切り替え制御するようにしたので、転写紙８が無いところでのプラス方向電流の発生を防止でき、画像汚れの発生を防ぐことができる。
【００４９】
ところで、本実施例の説明では、スイッチ素子としてトランジスタを用いた場合を例に説明したが、これに限られるものではなく、ＦＥＴやリレー等を用いる構成としても良い。また、その種類に関しても、図示のＮＰＮ型のトランジスタに限定するものではなく、例えば、ＰＮＰ、Ｎ型、Ｐ型などで構成しても良い。
【００５０】
以上、実施例１〜３においては、転写電流としてプラス出力を用い、不要なタイミングでのプラス方向電流の流れ出しを防止する場合を例に説明したが、本発明は、これに限定されるものではなく、マイナス電流を転写電流とし、不要なタイミングでのマイナス方向電流の流れ出しを防止する場合についても同様に構成できる。
【００５１】
更に、実施例１〜３では、トナー画像の転写として、感光ドラムから転写紙へのトナー画像の転写を例に説明したが、本発明はこれに限定されるものではなく、例えば、感光ドラムから転写ベルトへのトナー画像の転写や、転写ベルトから転写紙へのトナー画像の転写なども含むものである。
【００５２】
更にまた、以上の説明では転写用高圧電源を例に説明したが、本発明はこれに限られる物ではなく、電子写真装置に用いられる高圧電源装置であって、高圧電力が供給される複数のプロセス負荷とそれらの構成によって、前記複数のプロセス負荷の何れかで高圧電力の供給方向に不要な電流が発生する場合に、これを阻止する構成として同様に使用可能であり、このような場合を全て含む物である。
【００５３】
【発明の効果】
以上説明したように、本発明によれば、電子写真装置の高圧電源装置において、電子写真プロセスに関わる所定負荷に電力供給を行う一方で、負荷自身の帯電などの状態によって前記電力供給方向に生じる電流の流出を阻止することができる。
【００５４】
より具体的には、以下の効果を得ることが出来る。
【００５５】
転写用高圧電源に用いることによって、所望のタイミング以外での不要な電流の流れ出しを防止でき、該不要電流を原因とするドラムの帯電、および、それによる画像汚れ等を防止できる効果がある。
【００５６】
現像バイアス用高圧電源装置に用いることによって、感光ドラムの予期しない帯電電位の発生によって所望のタイミング以外でのトナーの現像や、感光ドラムへのキャリアに付着を防止でき、トナーの無駄な消費や装置内の汚れの発生、更には装置の寿命劣化を回避出来る効果がある。
【００５７】
内除、分離など転写ベルト周りの高圧電源装置に用いた場合、転写ベルトに比較的抵抗値の低い材料を用いた場合、隣の高圧電源装置の動作電流をバイパスすることを防止し、帯電や除電の効果の低下を回避できる効果がある。
【００５８】
一次、一次補助、定着前、分離用の高圧電源装置に用いた場合、隣の高圧電源装置のコロナをバイパスすることを防止し、帯電や除電の効果の低下を回避できる効果がある。
【００５９】
その他、複写機のプロセス構成によって複数の高圧電源装置を用いた場合、一つの高圧電源の動作電流を他の高圧電源装置がバイパスすることを防ぎ、それぞれの高圧電源の帯電、あるいは、除電の効果を有効に作用させられる効果がある。
【図面の簡単な説明】
【図１】  実施例１の構成を示すブロック図
【図２】  実施例２の構成を示すブロック図
【図３】  実施例３の構成を示すブロック図
【図４】  従来技術を説明する回路ブロック図
【図５】  従来技術の動作を説明するタイミングチャート
【図６】  電子写真装置の断面図
【図７】  電子写真装置の画像形成プロセス説明図
【符号の説明】
１１  制御手段
１２  第一の駆動手段
１３  第一の変圧手段
１５  第二の駆動手段
１６  第二の変圧手段
Ｄ、Ｄ１、Ｄ２  ダイオード
【図１】
0003697193.tif 000002
【図２】
0003697193.tif 000003
【図３】
0003697193.tif 000004
【図４】
0003697193.tif 000005
【図５】
0003697193.tif 000006
【図６】
0003697193.tif 000007
【図７】
0003697193.tif 000008